(57)【要約】      （修正有）【課題】組立作業の効率を高めて生産性の向上を図ることができる軸受装置を提供する。【解決手段】軸受装置１０は、内輪１４と外輪１３との間に複数の転動体１５が配設された転がり軸受１１と、該転がり軸受１１をハウジングに固定すべく、外輪１３の外周部に嵌合される固定プレート１２と、を備える。外輪１３の外周部には、係止溝１９が形成され、固定プレート１２の内周部には、径方向内側に突出する係止爪２１が円周方向に等間隔で複数箇所形成される。そして、外輪１３の外周部に固定プレート１２の内周部を嵌合することにより、係止爪２１が外輪１３の軸方向の端部から係止溝１９までの外周面を乗り越えて該係止溝１９に係止される。【選択図】図１
2011257009.tif 000002
【特許請求の範囲】
【請求項１】
内輪と外輪との間に複数の転動体が配設された転がり軸受と、該転がり軸受をハウジングに固定すべく、前記転がり軸受の前記外輪の外周部に嵌合される固定プレートと、を備える軸受装置であって、
前記外輪の外周部に形成された係止溝と、前記固定プレートの内周部の円周方向の複数箇所に径方向内側に突出して設けられた係止爪と、を備え、
前記外輪の外周部に前記固定プレートの内周部を嵌合することにより、前記係止爪が、前記外輪の軸方向の端部から前記係止溝までの外周面を乗り越えて前記係止溝に係止されることを特徴とする軸受装置。
【請求項２】
前記外輪の軸方向の端部外周部に前記固定プレートが嵌合される小径段部を設け、該小径段部の外周面に前記係止溝を形成したことを特徴とする請求項１に記載の軸受装置。
【請求項３】
内輪と外輪との間に複数の転動体が配設された転がり軸受と、該転がり軸受をハウジングに固定すべく、前記転がり軸受の前記外輪の外周部に嵌合される固定プレートと、を備える軸受装置の組立方法であって、
前記固定プレートの内周部の周縁の円周方向の複数箇所を軸方向に押圧成形して径方向内側に突出する係止爪を形成しておき、
前記外輪の外周部に前記固定プレートの内周部を嵌合することにより、前記係止爪を、前記外輪の軸方向の端部から該外輪の外周部に形成された係止溝までの外周面を乗り越えさせて該係止溝に係止させることを特徴とする軸受装置の組立方法。
【発明の詳細な説明】
【技術分野】
【０００１】
本発明は、例えば、トランスミッションにおけるギヤ等の回転支持部に用いられる軸受装置および該軸受装置の組立方法に関する。
【背景技術】
【０００２】
従来のこの種の軸受装置としては、例えば、図７に示すように、内輪１と外輪２との間に複数の転動体３が配設された転がり軸受４と、該転がり軸受４の外輪２の軸方向端面に当接して転がり軸受４をハウジングＨに固定する固定プレート５と、を備えるものがある（例えば、特許文献１参照）。
【０００３】
また、自動車の小型化と共にトランスミッションの小型化が要請されており、このような要請に応える軸受装置として、図８に示すように、転がり軸受４の外輪２の外周面の軸方向端部に小径段部６を設け、該小径段部６に固定プレート７を嵌合固定したものがある（例えば、特許文献２参照）。
【０００４】
この軸受装置では、外輪２の小径段部６に固定プレート７を外挿した後、固定プレート７の内周部周縁の円周方向の複数箇所を軸方向に押圧成形する。これにより、小径段部６に外挿された固定プレート７の内周部に径方向内側に突出する係止爪８を円周方向の複数箇所に形成し、該係止爪８を小径段部６の外周面に形成した係止溝９に係止させる。
【０００５】
この軸受装置によれば、外輪２の軸方向端面に固定プレート５を当接させる場合（図７）に比べて軸方向の寸法を短くすることができ、トランスミッションの小型化を図ることができる。
【先行技術文献】
【特許文献】
【０００６】
【特許文献１】特開２００４−０２８１２３号公報
【特許文献２】独国特許出願公開１０２００４０３１８３０号明細書
【発明の概要】
【発明が解決しようとする課題】
【０００７】
しかし、上記特許文献２では、固定プレート７を外挿した後に内周部の周縁の円周方向の複数箇所を軸方向にプレスして、該固定プレート７の内周部に外輪２の係止溝９に係止する係止爪８を形成するため、固定プレート７の内周部に係止爪８が適切に形成されたか否かの確認が難しい。このため、軸受装置の組立作業の効率が低下して生産性に劣るという問題がある。
【０００８】
本発明は、このような不都合を解消するためになされたものであり、その目的は、組立作業の効率を高めて生産性の向上を図ることができる軸受装置および該軸受装置の組立方法を提供することにある。
【課題を解決するための手段】
【０００９】
本発明の上記目的は、下記の構成により達成される。
（１）  内輪と外輪との間に複数の転動体が配設された転がり軸受と、該転がり軸受をハウジングに固定すべく、転がり軸受の外輪の外周部に嵌合される固定プレートと、を備える軸受装置であって、
外輪の外周部に形成された係止溝と、固定プレートの内周部の円周方向の複数箇所に径方向内側に突出して設けられた係止爪と、を備え、
外輪の外周部に固定プレートの内周部を嵌合することにより、係止爪が、外輪の軸方向の端部から係止溝までの外周面を乗り越えて係止溝に係止されることを特徴とする軸受装置。
（２）  外輪の軸方向の端部外周部に固定プレートが嵌合される小径段部を設け、該小径段部の外周面に係止溝を形成したことを特徴とする（１）に記載の軸受装置。
（３）  内輪と外輪との間に複数の転動体が配設された転がり軸受と、該転がり軸受をハウジングに固定すべく、転がり軸受の外輪の外周部に嵌合される固定プレートと、を備える軸受装置の組立方法であって、
固定プレートの内周部の周縁の円周方向の複数箇所を軸方向に押圧成形して径方向内側に突出する係止爪を形成しておき、
外輪の外周部に固定プレートの内周部を嵌合することにより、係止爪を、外輪の軸方向の端部から該外輪の外周部に形成された係止溝までの外周面を乗り越えさせて該係止溝に係止させることを特徴とする軸受装置の組立方法。
【発明の効果】
【００１０】
本発明によれば、軸受装置を組み立てる際に、固定プレートの内周部に係止爪が適切に形成されたか否かの確認が不要となるため、軸受装置の組立作業の効率が高まって、生産性の向上を図ることができる。
【図面の簡単な説明】
【００１１】
【図１】本発明に係る軸受装置の一実施形態を説明するための要部断面図である。
【図２】外輪の小径段部の外周部に固定プレートが嵌合固定された状態を示す斜視図である。
【図３】図２の背面側から見た斜視図である。
【図４】固定プレートの内周部に係止爪を形成する工程を説明するための図であり、（Ａ）は係止爪の形成前の固定プレートの状態を示す要部断面図、（Ｂ）は係止爪の形成後の固定プレートの状態を示す要部断面図である。
【図５】外輪の小径段部に固定プレートを嵌合する工程を説明するための要部断面図である。
【図６】固定プレートの係止爪が外輪の係止溝に係止された状態を示す要部断面図である。
【図７】従来の軸受装置を説明するための要部断面図である。
【図８】従来の他の軸受装置を説明するための要部断面図である。
【発明を実施するための形態】
【００１２】
以下、本発明に係る軸受装置の一実施形態について、図面を参照して詳細に説明する。  図１は本発明に係る軸受装置の一実施形態を説明するための要部断面図、図２は外輪の小径段部の外周部に固定プレートが嵌合固定された状態を示す斜視図、図３は図２の背面側から見た斜視図、図４は固定プレートの内周部に係止爪を形成する工程を説明するための要部断面図、図５は外輪の小径段部に固定プレートを嵌合する工程を説明するための要部断面図、図６は固定プレートの係止爪が外輪の係止溝に係止された状態を示す要部断面図である。
【００１３】
本実施形態の軸受装置１０は、図１に示すように、転がり軸受１１と、該転がり軸受１１をハウジング（不図示）に固定すべく、転がり軸受１１の外周部に嵌合される固定プレート１２と、を備える。
【００１４】
転がり軸受１１は、内周面に外輪軌道面１３ａを有する外輪１３と、外周面に内輪軌道面１４ａを有する内輪１４と、内輪軌道面１４ａと外輪軌道面１３ａとの間に円周方向に転動可能に配設された複数の転動体１５と、複数の転動体１５を円周方向に略等間隔に保持する保持器１６と、外輪１３の軸方向の両端部内周部にそれぞれ装着されて、軸受空間と外部との間をシールするシール部材１７と、を有する。
【００１５】
また、外輪１３の軸方向の端部外周部には、固定プレート１２が嵌合される小径段部１８が形成されており、該小径段部１８の外周面の軸方向内側寄りには、係止溝１９が周方向全周に沿って形成されている。
【００１６】
一方、固定プレート１２は、図２および図３に示すように、外形が略三角形のフランジ状をなしており、三角形状の３つの頂点側にはボルト（不図示）の挿通穴２０が形成されている。なお、図２および図３では、便宜上、転がり軸受１０の外輪１３のみを図示している。
【００１７】
また、図１および図３に示すように、固定プレート１２の内周部には、外輪１３の小径段部１８に形成された係止溝１９に係止される係止爪２１が径方向内側に突出して形成されている。この係止爪２１は、本実施形態では、円周方向に略等間隔で３箇所形成されており、また、３箇所の係止爪２１は、固定プレート１２の三角形状の３つの頂点側にそれぞれ配置されている。
【００１８】
次に、図４〜図６を参照して、軸受装置１０の組立方法について説明する。
本実施形態では、固定プレート１２を外輪１３の小径段部１８に嵌合する前に、予め固定プレート１２の内周部に係止爪２１を形成する。
【００１９】
すなわち、図４に示すように、固定プレート１２の内周部周縁の円周方向に等間隔の３箇所をプレス装置等により軸方向に押圧成形して、前記周縁部分の肉を固定プレート１２の内周面から径方向内側に膨出させ、これにより、係止爪２１を形成する。係止爪２１の先端位置は、固定プレート１２の内周部の軸方向の略中央部に配置されている。
【００２０】
また、固定プレート１２の前記押圧位置の反対側の端部内周縁は、押圧前の内周面と略同径とされ、該端部内周縁から係止爪２１の先端までの間は径方向内側に滑らかに膨出する凹曲面２２で接続されている。
【００２１】
そして、図５に示すように、固定プレート１２の内周部を凹曲面２２側から外輪１３の小径段部１８に嵌合することにより、係止爪２１が、外輪１３の小径段部１８側の端面から係止溝１９までの外周面を乗り越えて該係止溝１９に係止され（図６参照）、これによ
り、軸受装置１０が組み立てられる。
【００２２】
以上説明したように、本実施形態の軸受装置１０によれば、固定プレート１２を外輪１３の小径段部１８に嵌合したときに、該固定プレート１２の内周部に予め形成した係止爪２１を小径段部１８の係止溝１９に係止させるようにしているため、軸受装置１０を組み立てる際に、固定プレート１２の内周部に係止爪２１が適切に形成されたか否かの確認が不要となる。これにより、軸受装置１０の組立作業の効率を高めることができ、生産性の向上を図ることができる。
【００２３】
なお、本発明の内輪、外輪、転動体、転がり軸受、固定プレート、係止溝、係止爪、小径段部等の構成は、上記一実施形態に例示したものに限定されるものではなく、本発明の要旨を逸脱しない範囲において適宜変更可能である。
【００２４】
例えば、上記実施形態では、固定プレート１２の内周部に３箇所の係止爪２１を形成した場合を例示したが、これに限定されず、固定プレート１２の内周部に４箇所以上の係止爪２１を形成してもよい。
また、上記実施形態では、小径段部１８の外周面の周方向に全周に係止溝１９を形成した場合を例示したが、これに限定されず、例えば、小径段部１８の外周面の複数箇所に周方向に延びる係止溝を形成するようにしてもよい。
【符号の説明】
【００２５】
１０  軸受装置
１１  転がり軸受
１２  固定プレート
１３  外輪
１４  内輪
１５  転動体
１８  小径段部
１９  係止溝
２１  係止爪
【図１】
2011257009.tif 000003
【図２】
2011257009.tif 000004
【図３】
2011257009.tif 000005
【図４】
2011257009.tif 000006
【図５】
2011257009.tif 000007
【図６】
2011257009.tif 000008
【図７】
2011257009.tif 000009
【図８】
2011257009.tif 000010
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
内輪と外輪との間に複数の転動体が配設された転がり軸受と、該転がり軸受をハウジングに固定すべく、前記転がり軸受の前記外輪の外周部に嵌合される固定プレートと、を備える軸受装置であって、
前記外輪の外周部に形成された係止溝と、前記固定プレートの内周部の円周方向の複数箇所に径方向内側に突出して設けられた係止爪と、を備え、
前記外輪の外周部に前記固定プレートの内周部を嵌合することにより、前記係止爪が、前記外輪の軸方向の端部から前記係止溝までの外周面を乗り越えて前記係止溝に係止され、
嵌合した前記係止爪と前記係止溝との間には、軸方向且つ径方向に隙間が形成されることを特徴とする軸受装置。
【請求項２】
前記外輪の軸方向の端部外周部に前記固定プレートが嵌合される小径段部を設け、該小径段部の外周面に前記係止溝を形成したことを特徴とする請求項１に記載の軸受装置。
【請求項３】
内輪と外輪との間に複数の転動体が配設された転がり軸受と、該転がり軸受をハウジングに固定すべく、前記転がり軸受の前記外輪の外周部に嵌合される固定プレートと、を備える軸受装置の組立方法であって、
前記固定プレートの内周部の周縁の円周方向の複数箇所を軸方向に押圧成形して径方向内側に突出する係止爪を形成しておき、
前記外輪の外周部に前記固定プレートの内周部を嵌合することにより、前記係止爪を、前記外輪の軸方向の端部から該外輪の外周部に形成された係止溝までの外周面を乗り越えさせて該係止溝に係止させ、
嵌合した前記係止爪と前記係止溝との間には、軸方向且つ径方向に隙間が形成されることを特徴とする軸受装置の組立方法。
【手続補正２】
【補正対象書類名】明細書
【補正対象項目名】０００９
【補正方法】変更
【補正の内容】
【０００９】
本発明の上記目的は、下記の構成により達成される。
（１）  内輪と外輪との間に複数の転動体が配設された転がり軸受と、該転がり軸受をハウジングに固定すべく、転がり軸受の外輪の外周部に嵌合される固定プレートと、を備える軸受装置であって、
外輪の外周部に形成された係止溝と、固定プレートの内周部の円周方向の複数箇所に径方向内側に突出して設けられた係止爪と、を備え、
外輪の外周部に固定プレートの内周部を嵌合することにより、係止爪が、外輪の軸方向の端部から係止溝までの外周面を乗り越えて係止溝に係止され、
嵌合した前記係止爪と前記係止溝との間には、軸方向且つ径方向に隙間が形成されることを特徴とする軸受装置。
（２）  外輪の軸方向の端部外周部に固定プレートが嵌合される小径段部を設け、該小径段部の外周面に係止溝を形成したことを特徴とする（１）に記載の軸受装置。
（３）  内輪と外輪との間に複数の転動体が配設された転がり軸受と、該転がり軸受をハウジングに固定すべく、転がり軸受の外輪の外周部に嵌合される固定プレートと、を備える軸受装置の組立方法であって、
固定プレートの内周部の周縁の円周方向の複数箇所を軸方向に押圧成形して径方向内側に突出する係止爪を形成しておき、
外輪の外周部に固定プレートの内周部を嵌合することにより、係止爪を、外輪の軸方向の端部から該外輪の外周部に形成された係止溝までの外周面を乗り越えさせて該係止溝に係止させ、
嵌合した前記係止爪と前記係止溝との間には、軸方向且つ径方向に隙間が形成されることを特徴とする軸受装置の組立方法。